(57)【特許請求の範囲】
【請求項１】
ディスプレイ支持体の前面に設けた被係合部に、ディスプレイの裏面に設けた係合部材を、係合位置と非係合位置との間を移動し得るようにして係着するとともに、前記ディスプレイ支持体における被係合部の近傍に、ディスプレイ支持体の前面に突設した操作部と連係され、該操作部を操作することにより、前記係合部材を前記係合位置に拘束する位置から拘束を解除する位置までの間を移動し、前記拘束する位置と解除する位置に保持手段により保持される停止手段を設けたことを特徴とするディスプレイ支持装置。
【請求項２】
被係合部を、上下または左右方向に所定間隔おきに穿設された係合孔とするとともに、係合部材を、前記係合孔に挿入されてその内面下部に係止可能な突出部材とした請求項１に記載のディスプレイ支持装置。
【請求項３】
係合孔を、大径孔の下端に小径の長円孔が連設されたものとするとともに、突出部材を、前記大径孔に挿通可能な拡径頭部を有する有頭軸とした請求項２に記載のディスプレイ支持装置。
【請求項４】
停止手段を、被係合部の裏面側に設けられ、かつ係合部材を係合位置に保持する位置と、同じく非係合位置への移動を許容する位置との間を移動するストッパプレートとした請求項１ないし３のいずれかに記載のディスプレイ支持装置。
【請求項５】
ストッパプレートを、上端部に連設された操作部の操作により、下端部を中心として前後方向に回動し得るものとし、かつ前方に回動したとき係合部材に嵌合してその移動を阻止する停止孔を有するものとした請求項４に記載のディスプレイ支持装置。
【請求項６】
前記保持手段はストッパプレートを前後限の回動位置に保持する請求項５に記載のディスプレイ支持装置。
【発明の詳細な説明】
【０００１】
【発明の属する技術分野】
本発明は、例えば移動式ディスプレイ支持装置において液晶ディスプレイ等のモニターを、スタンド本体に着脱可能かつ落下防止を図って簡単に取付けることができるようにしたディスプレイ支持装置に関する。
【０００２】
【従来の技術】
従来、キャスタを備える移動式ディスプレイ装置における液晶ディスプレイ（以下モニターと称する）の取付けは、移動時や地震発生時の振動等による落下の危険性を考慮して、脚体にボルト等により強固に固定しているのが一般的である。
【０００３】
【発明が解決しようとする課題】
上述のように、モニターがボルト等により脚体に固定的に取付けられていると、モニターを取外したり、取付位置を変更してモニターの高さを調節したりする必要が生じた際に、工具等が必要となり、容易かつ迅速な作業ができないという問題がある。
【０００４】
また、モニターの高さを容易に調節するために、ガススプリングやラチェットステーなどの高さ調整装置を用いることも考えられるが、このような装置は高価であるため、コストが増大する。
【０００５】
本発明は、上記問題点を解決するためになされたもので、ディスプレイの着脱や高さ調節が容易で、かつ簡単な手段でディスプレイの落下を防止することができるようにしたディスプレイ支持装置を提供することを目的としている。
【０００６】
【課題を解決するための手段】
上記目的を達成するために、本発明のディスプレイ支持装置は、ディスプレイ支持体の前面に設けた被係合部に、ディスプレイの裏面に設けた係合部材を、係合位置と非係合位置との間を移動し得るようにして係着するとともに、前記ディスプレイ支持体における被係合部の近傍に、ディスプレイ支持体の前面に突設した操作部と連係され、該操作部を操作することにより、前記係合部材を前記係合位置に拘束する位置から拘束を解除する位置までの間を移動し、前記拘束する位置と解除する位置に保持手段により保持される停止手段を設けたことを特徴としている。
上記構成のディスプレイ支持装置によると、係合部材を係合位置に拘束する位置からその拘束を解除する位置に、操作部を持って停止手段を移動させて、その解除位置に停止手段を保持できるので、ディスプレイをディスプレイ支持体の前面に簡単に着脱することができ、また取付時には、係合部材を係合位置に拘束し得るので、ディスプレイが振動等により落下する恐れはない。
【０００７】
上記ディスプレイ支持装置において、被係合部を、上下及び左右方向に所定間隔おきに穿設された係合孔とするとともに、係合部材を、前記係合孔に挿入されてその内面下部に係止可能な突出部材としている。
このようにすると、ディスプレイ着脱時の作業が容易になるとともに、高さの調節も簡単に行うことができる。
【０００８】
上記ディスプレイ支持装置において、係合孔を、大径孔の下端に小径の長円孔が連設されたものとするとともに、突出部材を、前記大径孔に挿通可能な拡径頭部を有する有頭軸としている。
このようにすると、有頭軸を係合孔の大径孔に挿入したのち、下方に若干移動するだけで、ディスプレイをディスプレイ支持体に容易に支持させることができ、またその反対の操作で、ディスプレイを容易に取外すことができる。
【０００９】
上記ディスプレイ支持装置において、停止手段を、被係合部の裏面側に設けられ、かつ係合部材を係合位置に保持する位置と、同じく非係合位置への移動を許容する位置との間を移動するストッパプレートとしている。
このようにすると、簡単な構成のストッパプレートを単に移動させるだけで、ディスプレイをディスプレイ支持体に着脱することができ、安価に実施し得る。
【００１０】
上記ディスプレイ支持装置において、ストッパプレートを、上端部に連設された操作部の操作により、下端部を中心として前後方向に回動し得るものとし、かつ前方に回動したとき係合部材に嵌合してその移動を阻止する停止孔を有するものとしている。
このようにすると、ストッパプレートの操作部を前後方向に押動するだけの簡単な操作で、停止孔が係合部材と係脱してディスプレイを着脱し得るとともに、停止孔が係合部材に嵌合することにより、ディスプレイの落下を確実に防止することができる。
【００１１】
上記ディスプレイ支持装置において、前記保持手段はストッパプレートを前後限の回動位置に保持している。
このようにすると、ストッパプレートを後限の解除位置に保持することにより、ディスプレイを両手で支持して着脱したり、高さの調節を行うことができる。また、前限の拘束位置に保持することにより、停止孔は係合部材に妄りに離脱することはない。
【００１２】
【発明の実施の形態】
以下、本発明の実施形態を図面に基づいて説明する。
【００１３】
図１は、本発明のディスプレイ支持装置の斜視図を示すもので、１は、下面四隅にキャスタ２を取付けてなるベース板、３は、その後方寄りの上面に立設されたディスプレイ支持体としての脚体である。
【００１４】
脚体３は、左右１対の角筒状のフレーム４，４と、それらの間の前側に取付けられたフロントパネル５と、同じく後側に取付けられたバックパネル（図示略）と、上端のトップカバー６と、このカバー６の前端より垂下し、両フレーム４の上端部前面にねじ止めされた、液晶式ディスプレイ７の支持パネル８とからなり、全体がケース状をなしている。
【００１５】
９は、キーボード等の支持板で、左右のフレーム４の前面に上下位置調節可能として取付けられている。
【００１６】
フロントパネル５のやや上方寄りの中央部には、上下方向を向く配線挿通孔１０が開口され、この配線挿通孔１０は、弾性変形可能なひげ状の弾性部材１１により閉塞されている。
【００１７】
１２は、脚体３の後面の上方寄りに取付けられた把手である。
【００１８】
上記支持パネル８の中央部には、図２及び図３に示すように、大径孔１３ａと、その下端に下向き連設された小径の長円孔１３ｂとからなる係合孔１３が、左右１対ずつ、上下方向に所定間隔おきに複数個穿設されている。
【００１９】
また、支持パネル８の上端部には、左右方向を向く長孔１４が形成されている。
【００２０】
１５は、ディスプレイ７の取付金具で、平板材を前面と下面が開放された形状に折曲して形成され、前端に外向き折曲された左右１対のフランジ部１５ａが、複数のねじ１６によってディスプレイ７の背面中央に固定されている（図２参照）。
【００２１】
取付金具１５の後面板１５ｂの上端部前面には、左右１対のナット１７が溶接等により固着され、この各ナット１７には、後方より、拡径頭部１８ａを有する有頭軸、すなわち段付ボルト１８が、後面板１５ｂの後端面よりも拡径頭部１８ａが若干突出するようにして螺着されている。なお、拡径頭部１８ａ及びねじ軸１８ｂの外径は、それぞれ上記係合孔１３における大径孔１３ａと長円孔１３ｂよりも僅かに小径とされ、拡径頭部１８ａを大径孔１３ａに挿入したのち、ねじ軸１８ｂを長円孔１３ｂの下部に移動し得るようになっている。この移動時において、拡径頭部１８ａが長円孔１３ｂの裏面と係合することにより、取付金具１５が支持パネル８に係着される。
【００２２】
支持パネル８の裏面と近接する脚体３内には、支持パネル８の長孔１４に挿通可能な前向き逆Ｌ字状の操作部１９ａを上端に有するストッパプレート１９が、その下端の後向逆Ｌ字状の支持部１９ｂを、支持パネル８の下端の後向片８ａに穿設した支持孔２０に挿入して受支することにより、下端部を中心として前後に回動し得るようにして設けられている。
【００２３】
ストッパプレート１９における上記各係合孔１３の長円孔１３ｂと対向する位置には、段付ボルト１８の拡径頭部１８ａの外径よりも若干大径の停止孔２１が穿設されている。この停止孔２１は、段付ボルト１８の拡径頭部１８ａが長円孔１３ｂの裏面側の係合位置にあるとき、拡径頭部１８ａに嵌合してその上方への移動を阻止するものである。
【００２４】
ストッパプレート１９の後方のトップカバー６の下面に固着されたブラケット２２には、ストッパプレート１９の裏面を吸着して前後限位置に保持する公知のマグネット式の保持具２３が取付けられている。この保持具２３の出没部材２４は、先端にストッパプレート１９を吸着するマグネットを備え、保持具２３のケース内に押し込むと、その位置に係止保持され、この状態において再度押圧すると、係合がはずれて内部のばね力により前方に突出するようになっている。
【００２５】
従って、ストッパプレート１９は、図３及び図５に示すように、操作部１９ａを後方に押圧して出没部材２４を係止位置に保持させると、後限の非係合位置まで回動されて保持され、それに穿設された停止孔２１は、係合位置にある段付ボルト１８の拡径頭部１８ａにより離間する。
【００２６】
その結果、段付ボルト１８は、上方に移動可能となり、拡径頭部１８ａと大径孔１３ａとが整合する非係合位置まで移動させることにより、取付金具１５及びこれに固着したディスプレイ７を支持パネル８より取外すことができる。
【００２７】
一方、出没部材２４を突出させると、ストッパプレート１９は、図４及び図６に示すように、支持パネル８の裏面と当接する前限の係合位置まで回動され、停止孔２１は、係合位置にある拡径頭部１８ａに嵌合される。その結果、段付ボルト１８の上方への移動が阻止され、取付金具１５及びディスプレイ７の取外しはもとより、それらが振動等により外れて落下するのを防止することができる。
【００２８】
本発明は、上記実施形態に限定されるものではなく、種々の実施形態をとり得る。
【００２９】
上記実施形態では、ストッパプレート１９を前後限位置に保持する保持手段に、公知のマグネット式の保持具２３を使用しているが、図７又は図８に略示する保持手段としてもよい。
【００３０】
すなわち、図７に示すものは、ストッパプレート１９における操作部１９ａの上面に、弾性変形可能な板ばねよりなる上向き円弧状の保持部材２５の一端部を固定し、支持パネル８の長孔１４を通過する際に下向きに弾性変形して、ストッパプレート１９を前後限位置に保持するようにしてある。
【００３１】
図８に示すものは、トップカバー６の下面に取付けたブラケット２６の有底孔２６ａ内にばね定数の小さい圧縮コイルばね２７を収容し、その突出端をストッパプレート１９の裏面上部に圧接するとともに、支持パネル８における長孔１４の近傍に、永久磁石２８を固着し、ストッパプレート１９を前限に保持する際は、圧縮コイルばね２７の付勢力により、また後限に保持する際は、操作部１９ａの裏面を永久磁石２８に吸着させて行われるようにしてある。
【００３２】
上記前後方向に回動式のストッパプレート１９の代わりに、図９又は図１０に示すようなストッパプレートとしてもよい（いずれも背面図を示す）。
【００３３】
図９に示すストッパプレート２９は、係合位置にある左右の拡径頭部１８ａを拘束する水平長孔３０と、同じく解放する縦長孔３１を備える水平移動式としたもので、図に示す拘束位置から操作部２９ａを持って左方に移動することにより、拡径頭部１８ａは想像線の位置まで相対的に移動し、大径孔１３ａまで移動可能となるので、取付金具１５を支持パネル８より取外すことができる。
【００３４】
なお、図９に示すストッパプレート２９において、水平長孔３０と縦長孔３１を便宜上左右１対ずつとして説明したが、上下方向に並ぶ係合孔１３に対応して複数設けることができることは勿論である。
【００３５】
図示は省略するが、段付ボルト１８の代わりに、後端に下向鉤状のフックを備える係合部材を取付金具１５に固着してもよい。この際は、係合孔１３及び停止孔２１の形状をフックの形状に合わせて変更すればよい。
【００３６】
取付金具１５を省略して、段付ボルト１８等の係合部材をディスプレイ７の裏面に直接取付けることも可能である。
【００３７】
【発明の効果】
本発明によれば、次のような効果を奏する。
【００３８】
（ａ）請求項１に記載の発明によれば、係合部材を係合位置に拘束する位置からその拘束を解除する位置に、操作部を持って停止手段を移動させて、その解除位置に停止手段を保持できるので、ディスプレイをディスプレイ支持体の前面に簡単に着脱することができ、また取付時には、係合部材を係合位置に拘束し得るので、ディスプレイが振動等により落下する恐れはない。
【００３９】
（ｂ）請求項２に記載の発明によれば、ディスプレイ着脱時の作業が容易となるとともに、ガススプリング等の高価な装置を用いることなく、ディスプレイの高さを簡単に調節することができる。
【００４０】
（ｃ）請求項３に記載の発明によれば、有頭軸を係合孔の大径孔に挿入した後、下方に若干移動させるだけで、ディスプレイをディスプレイ支持体に容易に支持させることができ、またその反対の操作でディスプレイを容易に取外すことができる。
【００４１】
（ｄ）請求項４に記載の発明によれば、簡単な構成のストッパプレートを単に移動するだけで、ディスプレイをディスプレイ支持体に着脱することができ、安価に実施し得る。
【００４２】
（ｅ）請求項５に記載の発明によれば、ストッパプレートの操作部を前後方向に押動するだけの簡単な操作で、停止孔が係合部材と係脱して、ディスプレイを着脱し得るとともに、停止孔が係合部材（拡径頭部）に嵌合することにより、ディスプレイの落下が確実に防止される。
【００４３】
（ｆ）請求項６に記載の発明によれば、ストッパプレートを後限の解除位置に保持することにより、ディスプレイを両手で支持して着脱したり、高さの調節を行うことができる。また、前限の拘束位置に保持することにより、停止孔は係合部材より妄りに離脱することはない。
【図面の簡単な説明】
【図１】本発明の実施形態を示す斜視図である。
【図２】同じく、支持パネルに対するディスプレイの取付要領を示す斜視図である。
【図３】同じく、要部の拡大分解斜視図である。
【図４】同じく、支持金具取付時の要部の拡大斜視図である。
【図５】同じく、ストッパプレートを後方に押動した解除状態を示す要部の縦断側面図である。
【図６】同じく、ストッパプレートを前限の拘束位置とした状態の要部の縦断側面図である。
【図７】同じく、ストッパプレートの保持手段の他の実施形態を示す要部の縦断側面図である。
【図８】同じく、ストッパプレートの保持手段の他の実施形態を示す要部の縦断側面図である。
【図９】同じく、ストッパプレートの他の実施形態を示す背面図である。
【符号の説明】
１        ベース板
２        キャスタ
３        脚体（ディスプレイ支持体）
４        フレーム
５        フロントパネル
６        トップカバー
７        ディスプレイ
８        支持パネル
９        支持板
１０      配線挿通孔
１１      弾性部材
１２      把手
１３      係合孔
１３ａ    大径孔
１３ｂ    長円孔
１４      長孔
１５      取付金具
１５ａ    フランジ部
１５ｂ    後面板
１６      ねじ
１７      ナット
１８      段付ボルト（有頭軸）
１８ａ    拡径頭部
１８ｂ    ねじ軸
１９      ストッパプレート
１９ａ    操作部
１９ｂ    支持部
２０      支持孔
２１      停止孔
２２      ブラケット
２３      保持具
２４      出没部材
２５      保持部材
２６      ブラケット
２６ａ    有底孔
２７      圧縮コイルばね
２８      永久磁石
２９      ストッパプレート
２９ａ    操作部
３０      水平長孔
３１      縦長孔
【図１】
0004250295.tif 000002
【図２】
0004250295.tif 000003
【図３】
0004250295.tif 000004
【図４】
0004250295.tif 000005
【図５】
0004250295.tif 000006
【図６】
0004250295.tif 000007
【図７】
0004250295.tif 000008
【図８】
0004250295.tif 000009
【図９】
0004250295.tif 000010